(57)【要約】【課題】交換部品の重量を減らして交換にかかる労力を軽減するとともに、容易かつ確実に交換部品を取り付け可能な分離型遊技機を提供すること。【解決手段】前記筐体ユニット１内部には、少なくとも前記制御装置又はリールユニット２を設置するための交換部品取り付け手段１０を設け、少なくとも前記制御装置及びリールユニット２を、筐体ユニット１から着脱自在に形成した。【選択図】    図１
2004275469.tif 000002
【特許請求の範囲】
【請求項１】
正面側に開口する筐体ユニットと、
筐体ユニットの開口部を開閉可能に塞ぐ前扉と、
遊技機の作動を制御するための制御装置と、
複数の図柄を表示可能な図柄表示手段を備えたリールユニットとを少なくとも有する遊技機において、
前記筐体ユニット及び前記前扉には、前記前扉を筐体ユニットに回動可能に支持する係合部を設け、
前記筐体ユニット内部には、少なくとも前記制御装置又はリールユニットを設置するための交換部品取り付け手段を設け、
少なくとも前記制御装置及びリールユニットを、筐体ユニットから着脱自在に形成したことを特徴とする遊技機。
【請求項２】
前記筐体ユニットに、遊技機を構成する構成部品を電気的に接続するための電気的接続手段を設置し、
前記電気的接続手段は、前記制御装置及びリールユニットの双方に設けた交換部品側接続部と、この交換部品側接続部の双方又はいずれか一方と接続可能な筐体側接続部を少なくとも有することを特徴とする請求項１記載の遊技機。
【請求項３】
前記リールユニットに、前記制御装置を着脱自在に取り付けるための制御装置取り付け手段を設けたことを特徴とする請求項１又は２記載の遊技機。
【発明の詳細な説明】
【０００１】
【発明の属する技術分野】
この発明は、スロットマシンなどの、遊技内容変更を比較的頻繁に行う遊技機であって、遊技機の構成部品を着脱自在かつ交換可能に形成した分離型遊技機に関するものである。
【０００２】
【従来の技術】
従来の遊技機、例えばスロットマシンにおいては、遊技内容を変更する際には筐体まるごと交換しなければならなかったので、遊技内容を変更するための台交換の際、遊技内容の変更に関与しないホッパーユニット等も同時に交換されることとなり、交換に要する費用がかかるだけでなく、資源の無駄となっていたという問題点があった。かかる問題を解決すべく、分離型スロットマシンが考案された（特許文献１参照）。これは、スロットマシンのうち、主として遊技性に関わる部分、すなわちリールユニット及び主基板等の制御装置を交換ユニットとして一体的に取り扱い可能とし、最低限この交換ユニットを交換することにより、全体を交換することなく、新しいスロットマシンで遊技しているかのような印象を与えることがかできる分離型スロットマシンを提供しようとするものである。
【０００３】
ここで、従来の分離型ロットマシンＳ’について、図１７に基づき概略説明する。分離型ロットマシンＳ’は、正面側に開口する開口部１１１の開口下部１１４内に電源ユニット４及びホッパーユニット５を設置した筐体ユニット１００と、支持体にリールユニット１２０及び基板ユニット１５０を設置し、前記筐体ユニット１００の開口上部１１３内に着脱自在に形成された交換ユニット２００と、前記開口上部１１３を開閉可能に塞ぐ上扉１３０と、前記開口下部１１４を開閉可能に塞ぐ下扉１４０とからなる。
【０００４】
前記上扉１３０は、交換ユニット２００の支持体に、ヒンジ等を介して回転可能かつ着脱自在に取り付けられ、前記下扉１４０は、筐体ユニット１００の側板１１６に、ヒンジ等を介して回転可能に取り付けられている。そして、交換ユニット２００を筐体内に固定し、前記上扉１３０及び前記下扉１４０を閉じてロックすると、筐体ユニット１００の内部空間を遮蔽するようになっている。
【０００５】
このように形成された分離型スロットマシンＳ’において、交換ユニット２を交換する場合には、まず上扉１３０を開け、筐体ユニット１００の筐体側コネクタ１６０と交換ユニット２００の交換ユニット側コネクタ１６１の接続を外して交換ユニット２００の電気的接続を切断し、交換ユニット２００と筐体ユニット１００とを固定している固定装置（図示せず）を解除する。しかる後、交換ユニット２を上扉３０とともに筐体内から取り出し、新しい交換ユニット２を新しい上扉３０を取り付けた状態で筐体内に収納する。そして、筐体側コネクタ１６０と交換ユニット側コネクタ１６１を接続し、固定装置により交換ユニット２００を筐体内に固定していた。
【０００６】
【特許文献１】
特開２００３−４７６８６号公報
【０００７】
【発明が解決しようとする課題】
しかし、上述した従来の分離型スロットマシンは、交換ユニット２００と上扉１３０を一体で交換できるので、作業手順を少なくできるという利点がある一方、交換ユニット２００及び上扉１３０をあわせた重量はかなり重く、作業に労力を要するという難点があった。
【０００８】
そこで、各請求項にそれぞれ記載された各発明は、上記した従来の技術の有する問題点に鑑みてなされたものであり、その目的とするところは、次の点にある。
（請求項１又は２）
請求項１又は２記載の発明は、交換部品の重量を減らして交換にかかる労力を軽減するとともに、容易かつ確実に交換部品を取り付け可能な分離型遊技機を提供しようとするものである。
【０００９】
（請求項３）
請求項３記載の発明は、上記した請求項１又は２記載の発明の目的に加え、次の点を目的とする。
すなわち、請求項３記載の発明は、交換部品を一体的にも取り扱い可能な分離型遊技機を提供しようとするものである。
【００１０】
【課題を解決するための手段】
各請求項にそれぞれ記載された各発明は、上記した各目的を達成するためになされたものであり、各発明の特徴点を、図面に示した発明の実施の形態を用いて以下に説明する。
なお、符号及び図面番号は、発明の実施の形態において用いた符号及び番号を示し、本発明の技術的範囲を限定するものではない。
【００１１】
（請求項１）
（特徴点）
請求項１記載の発明は、次の点を特徴とする。
すなわち、請求項１記載の発明は、正面側に開口する筐体ユニット（１）と、筐体ユニット（１）の開口部（１１）をを開閉可能に塞ぐ前扉（３）と、遊技機の作動を制御するための制御装置と、複数の図柄を表示可能な図柄表示手段を備えたリールユニット（２）とを少なくとも有する遊技機である。
【００１２】
ここで、前記前扉（３）は、筐体ユニット（１）の開口部（１１）を開塞自在に取り付けられており、扉を閉めると遊技機の正面構造となるように形成することができる。例えばスロットマシンを例にすると、回転リール（２０）の図柄を見ることができる表示窓（３１）や、スロットマシンを操作するための操作部（４１）等を設けることができるものである。なお、この前扉（３）は、筐体ユニット（１）の開口上部（１３）を開閉可能に塞ぐ上扉（３０）、筐体ユニット（１）の開口下部（１４）を開閉可能に塞ぐ下扉（４０）のように、上下に二分割して形成することもできる。
【００１３】
また、前記「制御装置」としては、例えば配線基板に制御用電子部品一式が搭載されてなる電子基板（単に基板ということもある）等が挙げられる。スロットマシンでは、回転リールと払い出し装置の作動を制御することができる基板を、通常、主基板と称している。これは、回転リールと払い出し装置の作動以外、例えば画像表示装置や演出用リールや演出用のその他の表示装置などの演出用装置などを制御することができる基板として副基板を備えるようにした場合に、この副基板と区別するためである。「制御装置」は、前記主基板を基板ケースに収納した基板ユニット（６）として形成することができる。
【００１４】
前記リールユニット（２）は、少なくとも「図柄表示手段」を備えている。この「図柄表示手段」とは、複数の図柄を停止表示又は変動表示可能に形成されたものであって、例えば複数の図柄を表面に印刷等してあり駆動モータにより回転する回転リール（２０）、液晶表示装置、ＣＲＴなども含む。そして、これらの図柄表示手段の作動は、前記制御装置により制御されている。
【００１５】
なお、前記筐体ユニット（１）は、開口部（１１）を上下に仕切る仕切り板（中板（１２））を有していてもよく、上記の構成部品の他に、遊技機の主電源を入れたり種々の設定を行うための電源ユニット（４）や、メダルを払い出すための払い出し装置（ホッパーユニット（５））などが内設されていてもよい。
そして、本発明は、前記筐体ユニット（１）及び前記前扉（３）には、前記前扉（３）を筐体ユニット（１）に回動可能に支持する係合部を設け、前記筐体ユニット（１）内部には、少なくとも前記制御装置又はリールユニット（２）を設置するための交換部品取り付け手段（１０）を設け、少なくとも前記制御装置及びリールユニット（２）を、筐体ユニット（１）から着脱自在に形成したことを特徴とする。
【００１６】
前記係合部としては、例えば、図４に示すように、筐体ユニット（１）に設けられた軸支部１９ｂが前扉（３）に設けられた孔３６ｂに挿入されることにより、前扉（３）が回転可能に支持されるようなものとすることができる。こで、前記前扉（３）は、筐体ユニット（１）に取り付け固定されていてもよいし、着脱可能に取り付けられていてもよい。前扉（３）を取り外す場合には、前扉（３）を上に持ち上げて、前記軸支部１９ｂと孔３６ｂとの係合を外すだけでよい。なお、筐体ユニット（１）と前扉（３）との係合部は、図示したものに限られず、筐体ユニット（１）に前扉（３）が回動可能に支持される形態であれば、どのような形態であってもかまわない。また、前扉（３）を上下に二分割した場合には、上扉（３０）と下扉（４０）の双方を着脱可能に形成してもよいし、いずれか一方のみを着脱可能としてもよい。いずれか一方のみを着脱可能とする場合には、少なくとも前記制御装置及びリールユニット（２）が設置されている側の開口部（開口上部（１３）又は開口下部（１４））を塞ぐ扉を着脱可能とするのが好ましい。
【００１７】
前記交換部品取り付け手段（１０）は、あらかじめ筐体ユニット（１）内部に取り付け固定された枠体（７１）、ガイドレール（６１）などとすることができる。そして、交換部品取り付け手段（１０）は、制御装置又はリールユニット（２）のいずれか一方又は双方を着脱可能に設置することができるように形成されている。すなわち、制御装置及びリールユニット（２）をそれぞれ取り付けるための交換部品取り付け手段（１０）が、おのおの独立して筐体内に設けられていてもよいし、ある交換部品（例えば制御装置）を取り付けるための交換部品取り付け手段（１０）が、他の交換部品（例えばリールユニット（２））に設けられていてもよい。また、複数の交換部品取り付け手段（１０）を一体的に形成した枠体などが筐体内部に固定されていてもよい。さらに、交換部品取り付け手段（１０）としては、他の交換部品を着脱可能に設置できるよう形成されていてもよい。
【００１８】
そして、前記交換部品取り付け手段（１０）を介して、少なくとも前記制御装置及びリールユニット（２）は、筐体ユニット（１）から着脱自在となっている。ここで、「着脱自在」とは、ただ単に取り付け取り外しできるということではなくて、各構成部品を損傷することなく容易に取り外しができ、その後に新たな交換部品を容易に取り付け可能に形成されていることを意味する。すなわち、本発明に係る遊技機は、基本的に遊技場やホールでの部品交換作業により遊技機交換を行おうとするものであるから、パチンコ機やスロットマシンの再生工場において遊技機を分解するのとは異なるのである。できればドライバなどの工具を使用しないで、あるいは使用しても極めて簡易な作業で取り付け取り外しが行えるようにするのが望ましい。
【００１９】
（作用）
本発明によれば、遊技内容の変更に伴ういわゆる台交換の際には、制御装置及びリールユニット（２）をそれぞれ別個に筐体ユニット（１）から取り外し、新しい交換部品を取り付けることができる。交換作業の一例としては、まず前扉（３）を開け、続いてリールユニット（２）及び制御装置を取り外す。そして交換用の制御装置及びリールユニット（２）を取り付け、最後に前扉（３）を閉める。また、前扉（３）を着脱自在に形成した場合には、前扉（３）を取り外してから交換部品の交換を行うことができる。
【００２０】
このように、交換部品の点数は従来よりも増えたものの、一つ一つの交換部品の重量は、従来の枠体にリールユニット及び制御装置及び上扉を取り付けた交換ユニットに比べると格段に軽いことから、交換作業にかかる労力は軽減する。
（請求項２）
（特徴点）
請求項２記載の発明は、上記した請求項１記載の発明の特徴点に加え、次の点を特徴とする。
【００２１】
すなわち、請求項２記載の発明は、前記筐体ユニット（１）に、遊技機を構成する構成部品を電気的に接続するための電気的接続手段（５０）を設置し、前記電気的接続手段（５０）は、前記制御装置及びリールユニットの双方に設けた交換部品側接続部と、この交換部品側接続部の双方又はいずれか一方と接続可能な筐体側接続部を少なくとも有することを特徴とする。
【００２２】
前記電気的接続手段（５０）は、筐体内に収納されている内部装置同士や、前扉（３）に設けられている電子部品と内部装置とを電気的に接続するためのものであり、ハーネス、ケーブルなどの電気的配線手段（５１）とこれらを接続するためのコネクタを含む。そして、本発明に置いては、これらの電気的接続手段（５０）があらかじめ筐体ユニット（１）に備え付けられている。
【００２３】
前記「交換部品側接続部」は、制御装置及びリールユニット（２）に設けたコネクタ（基板側コネクタ（５４）及びリールユニット側コネクタ（５６））とすることができ、筐体側接続部（筐体側コネクタ５２）と直接又は間接的に接続可能に形成されている。また、前記筐体側接続部と接続される電気的配線手段（５１）は、例えば電源ユニット（４）などの非交換部品（遊技機交換の際、筐体ユニット（１）に置いたままにしておく構成部品）と接続されていて、制御装置及びリールユニット（２）の交換部品側接続部と筐体側接続部とを接続させることにより、制御装置及びリールユニット（２）とその他の構成部品とが通電状態となるものである。
【００２４】
ここで、前記筐体側接続部は、交換部品側接続部の双方又はいずれかと接続可能となっている。これは、例えば制御装置とリールユニット（２）を別々に筐体側接続部と接続させて、この接続により制御装置とリールユニット（２）とが電気的に接続されるように形成する場合と、制御装置とリールユニット（２）とを相互に電気的に接続可能に形成し、いずれか一方の交換部品側接続部と筐体側接続部とを接続することにより、制御装置及びリールユニット（２）と他の構成部品とが電気的に接続するように形成する場合との、二通りの接続方法を想定しているからである。
【００２５】
なお、電気的配線手段（５１）を配線カバー手段（５９）により被覆保護しておくと、破損等しにくく長持ちする。また、前記制御装置及びリールユニット（２）を、前記交換部品取り付け手段（１０）を介して筐体ユニット（１）内の所定位置に設置させることにより、前記交換部品側接続部と筐体側接続部とが接続するように形成しておくと、コネクタを接続させる作業も行わずに済むので、より好ましい。
【００２６】
（作用）
本発明によれば、交換部品を電気的に接続するための電気的接続手段（５０）があらかじめ筐体ユニット（１）に適宜配置されており、交換部品及び筐体ユニット（１）に取り付けられた接続部を接続するだけで電気的接続が完了し、面倒な配線作業を行う必要が無く、より効率的に交換作業を行うことができる。
【００２７】
（請求項３）
（特徴点）
請求項３記載の発明は、上記した請求項１又は２記載の発明の特徴点に加え、次の点を特徴とする。
すなわち、請求項３記載の発明は、前記リールユニット（２）に、前記制御装置を着脱自在に取り付けるための制御装置取り付け手段を設けたことを特徴とする。
【００２８】
本発明は、交換部品取り付け手段（１０）のうち、制御装置取り付け手段（基板ユニット取り付け手段（７０））をリールユニット（２）に取り付け固定し、制御装置とリールユニット（２）とを一体的取り扱い可能としたものである。制御装置取り付け手段は、例えばリールユニット（２）の上面に設けられた枠体（７７）とすることができる。
【００２９】
（作用）
本発明によれば、交換作業を行う際、制御装置を制御装置取り付け手段に設置したまま、すなわち制御装置とリールユニット（２）とを一体としたまま交換作業を行うこともできるし、制御装置を制御装置取り付け手段から取り外して、すなわち制御装置とリールユニット（２）とを別々に交換することもできる。従って、部品の交換回数を少なくしたいときには制御装置とリールユニット（２）とを一体にして同時に交換し、一回の交換部品を軽量にしたい場合には制御装置とリールユニット（２）とを分けて交換すればよい。
【００３０】
【発明の実施の形態】
本発明を表す好適な実施の形態を、スロットマシンを例に図面に基づき説明する。
（第一の実施の形態）
（図面の説明）
図１乃至図１３は、本発明の第一の実施の形態を示すものである。
【００３１】
図１は分離型スロットマシンの分解斜視図、図２は前扉を外した状態の分離型スロットマシンの斜視図、図３は分離型スロットマシンの縦断面図、図４は上扉の係合を示す斜視図、図５は筐体上部の縦断面図である。また、図６乃至図８はリールユニットの取り付けを示す図、図９乃至図１１は基板ユニットの取り付けを示す図である。図１２及び１３は本実施の形態の他の例を示す図である。
【００３２】
本実施の形態に係る分離型スロットマシンＳは、図１に示すように、大きく分けて、正面側に開口部１１を有する筐状の筐体ユニット１、筐体ユニット１の内部に着脱自在に設けられるリールユニット２及び基板ユニット６、筐体ユニット１の開口上部１３を開閉可能に塞ぐ上扉３０、開口下部１４を開閉可能に塞ぐ下扉４０とから構成されている。
【００３３】
（筐体ユニット１）
筐体ユニット１は、底板１５及び側板１６及び天板１７及び裏板１８からなる正面側に開口する筺体であり、高さ方向略中央部には、二つの側板１６の間に水平方向に中板１２が設けられている。そして、この中板１２の下面には電源ユニット４が設けられ、底板１５にはホッパーユニット５が固定されている。
【００３４】
前記電源ユニット４は、中板１２の下面に、取り付け板等を介して取り付けられており、特に図示しないが電源装置が内装されていると共に、遊技店側が種々の設定を行うためのスイッチ等を有している。
上記電源ユニット４及びホッパーユニット５は、交換ユニット２の交換に際し、必ずしも交換する必要のないものであり、交換時には設置されたままにしておけるようになっているものである。
【００３５】
なお、本実施の形態においては、メダルを貯留すると共にメダルを払い出す払い出し装置としてホッパーユニット５を有するスロットマシンとしたが、遊技メダルを払い出すことのできる装置であれば、ホッパーユニット５以外の装置が代わりに設けられていてもよい。
また、側板１６の正面左側には、前扉３（上扉３０及び下扉４０）を係合させ、回転自在に支持するための筐体係合部１９が、上下方向に間隔をおいて二つずつ設けられている。
【００３６】
ここで、中板１２の上面及び裏板１８には、リールユニット２及び基板ユニット６を筐体内に設置するための交換部品取り付け手段１０と、リールユニット２及び基板ユニット６を筐体内に固定するための固定装置８が設けられているが、これについては後述する。また、筐体ユニット１には、スロットマシンＳの構成部品を電気的に接続するための電気的接続手段５０が配置されているが、これについても後述する。
【００３７】
（リールユニット２）
リールユニット２は、図１に示すように、種々の部品を設置あるいは固定するための枠体２１と、この枠体２１に固定された駆動モータ（図示せず）と、駆動モータに軸着された三個の回転リール２０とを備えている。
前記枠体２１の底部両端には、奥行き方向に係合レール２２が形成されており、枠体２１の左右側面には、固定装置８としてのクリップ８０が取り付けられている。また、図３及び図５に示すように、枠体２１の背面下端部には、リールユニット２と電源ユニット４及び基板ユニット６及びその他の内部装置とを電気的に接続するためのリールユニット側コネクタ５６が設けられている。
【００３８】
なお、特に図示しないが、枠体２１の上面や側面に取っ手を設けると、リールユニット２の着脱の際に持ち運びやすく便利である。例えば、枠体２１の上面にブラケットを介して横棒を取り付けたり、枠体２１の側面に手を入れるための孔や凹部を設けてもよい。
リールユニット２は、前記筐体ユニット１の中板１２上に、リールユニット取り付け手段６０を介して載置収納され、固定装置８により固定されるものであるが、この詳細は後述する。
【００３９】
（基板ユニット６）
基板ユニット６は、スロットマシン１の遊技動作等を制御するための主基板と、各種演出を行うための副基板とを、基板ケースに内装したものである。そして、前記主基板、副基板は、スロットマシンの制御を司る制御装置として機能するものである。
【００４０】
また、基板ユニット６には、制御基板とスロットマシンＳの構成部品とを電気的に接続するための基板側コネクタ５４，５５が設けられている。ここで、基板ユニット６は、基板ケースの内部の基板を視認できる面が正面側となっており、基板側コネクタ５５は基板ユニット６の正面側に設けられている（図３参照）。また、基板側コネクタ５４は、基板ユニット６を筐体内に取り付けた際に下側となる面（底面）に設けられている。
【００４１】
基板ユニット６は、前記筐体ユニット１の裏板１８に、基板ユニット取り付け手段７０を介して取り付け固定されるものであるが、この詳細は後述する。
（上扉３０）
上扉３０は、筐体ユニット１の開口上部１３を塞ぐための板状の扉であり、筐体ユニット１の側板１６の上側に回転自在かつロック可能に形成されている。そして、図１に示すように、略中央部に前記回転リール２０の図柄を正面側から見ることができる表示窓３１を有し、周囲に飾り部３３や種々の表示を行うための表示装置３２が設けられているものである。
【００４２】
ここで、前記飾り部３３は、ランプ等により形成しても良く、入賞の報知その他の演出時にランプが点滅するようにしてもよい。また、前記表示装置３２は、７セグメントＬＥＤ等により数字を表示するものや、特に図示しないが、画像を表示するための液晶画面あるいはＣＲＴなどとしてもよい。
さらに、図２に示すように、上扉３０の裏面側端部には、前記筐体係合部１９に係合可能な上扉係合部３６が上下方向に間隔をおいて二つ設けられており、上扉係合部３６の対向側には、ロック機構７が設けられている。ロック機構７は、交換ユニット２に設けられた突出片（図示せず）に係止可能な鉤状の係止片を有するラッチ機構などにより構成されており、特に図示しないが解錠手段の操作により突出片との係止が外れ開扉することができるとともに、扉を閉めれば自動的にロックされるように形成されている。また、上扉３０の裏面上部には、種々の音声を出力するためのスピーカ３５と、上扉３０に配置された電子部品と、基板ユニット６及びその他の構成部品とを電気的に接続するための上扉コネクタ５７が設けられている。
【００４３】
ところで、上扉３０は、筐体ユニット１に、着脱自在に取り付けられているものである。すなわち、筐体係合部１９と上扉係合部３６の係合は、ネジ止めを外すなどの作業を行うことなく解除可能であり、側板１６から上扉３０を容易に取り外せるようになっている。具体的には、図４に示すように、筐体係合部１９は、側板１６から張り出した張り出し部１９ａに軸支部１９ｂを形成てあり、一方上扉係合部３６には、前記軸支部１９ｂを挿入可能な孔３６ｂを形成した係合片３６ａを有している。そして、この係合片３６ａの下側から軸支部１９ｂが孔３６ｂに挿入されるように上扉３０を移動させると、係合片３６ａが張り出し部１９ａに係止されて上扉３０が側板１６に支持されると共に、軸支部１９ｂを中心に回動可能となるのである。上扉３０を側板１６から取り外す際には、上扉３０を少し上に持ち上げて、軸支部１９ｂを孔３６ｂから抜いて係合を外せばよい。
【００４４】
ここで、いわゆる台交換の際には、遊技内容の変更に伴い、上扉３０の形状やデザインも変える必要があるところ、上記のように形成すれば、上扉３０のみを単独で、かつ容易に取り外すことができ、従来のように上扉３０が付いたままの重たい交換ユニットを出し入れしなくてもよい。
なお、筐体係合部１９と上扉係合部３６の形態は上記したものに限られず、上扉３０が筐体ユニット１の開口上部１３を開閉自在に塞ぐことができ、かつ上扉３０が着脱自在となるものであれば、如何なる構成、形状であってもかまわない。
【００４５】
（下扉４０）
下扉４０は、筐体ユニット１の開口下部１４を塞ぐための、上扉３０よりも幅厚の扉であり、筐体ユニット１の側板１６の下側に回転自在かつロック可能に形成されているものである。
下扉４０の上部は、図１に示すように、スロットマシンを作動させるための操作部４１となっており、下扉４０の上面は、閉扉時においては、上扉３０よりも前側に突出するようになっている。また、下部には払い出されたメダルを貯めておくためのメダル受け４３が形成されており、下扉４０の略中央部には、遊技内容その他の表示をするための前パネル４７が嵌め込まれている。
【００４６】
前記操作部４１としては、下扉４０の上面右端にはメダル投入口４２及び上面左側に設けられたベットスイッチ、正面側にはスタートスイッチ及びストップスイッチ及び鍵穴４４が設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０のロックが解除されるものである。
【００４７】
さらに、図２に示すように、下扉４０の裏面側には、前記メダル投入口４２から投入されたメダルを誘導しながらメダルの正偽を判断するためのメダルセレクター４５と、下扉４０に配置された電子部品と電源ユニット４及びその他の構成部品とを電気的に接続するための下扉コネクタ５８が設けられている。
また、下扉４０の裏面側端部には、前記筐体係合部１９と係合可能な下扉係合部４６が上下方向に間隔をおいて二つ設けられており、下扉係合部６４の対向側には、ロック機構７が設けられている。下扉係合部４６及びロック機構７の構成は、上扉３０のものと基本的には同様である。そして、下扉４０を解錠して開けないと上扉３０の解錠手段が操作できないようになっている。
【００４８】
なお、下扉４０は、遊技内容の変更の度に交換が必要となるわけではないので、上扉３０のように筐体ユニット１に着脱自在に形成されていなくともよい。下扉４０においては、遊技内容の変更に伴うスロットマシンの正面デザインの変更は、前パネル４７を交換すれば足りるからである。
（電気的接続手段５０）
ここで、分離型スロットマシンＳの各構成部品を電気的に接続する電気的接続手段５０について説明する。
【００４９】
電気的接続手段５０は、電気的配線手段５１と、電気的配線手段５１を接続するためのコネクタ（筐体側コネクタ５２，５３、基板側コネクタ５４，５５、リールユニット側コネクタ５６、上扉コネクタ５７及び下扉コネクタ５８）からなる。
電気的配線手段５１は、図１及び図３に示すように、筐体ユニット１の上下及び基板ユニット６に設置されており、開口下部１４に固定されている電源ユニット４及びホッパーユニット５及び下扉４０と、開口上部１３に取り付けられるリールユニット２及び基板ユニット６及び上扉３０とをそれぞれ電気的に接続するようになっている。
【００５０】
基板ユニット６の正面側に設置された電気的配線手段５１の一端部には、基板側コネクタ５５が取り付けられている。この基板側コネクタ５５は、図３及び図５に示すように、上扉コネクタ５７と接続可能となっている。また、筐体ユニット１に設置された電気的配線手段５１は、配線カバー手段５９により被覆保護されている。配線カバー手段５９は、筐体ユニット１の裏板１８に沿って取り付けられた電気的配線手段５１を収納可能なケース、電気的配線手段５１が貫通可能な管、あるいは電気的配線手段５１を埋め込んで形成されたものとすることができる。このように、電気的配線手段５１を配線カバー手段５４により被覆することにより、電気的配線手段５１が損傷するのを防ぐことができる。
【００５１】
前記配線カバー手段５９のうち、裏板１８に沿って縦方向に設けられた二つの配線カバー手段５９の上端から伸びた電気的配線手段５１の先端部には、図９に示すように、筐体側コネクタ５２ａが設けられている。また、図１に示すように、前記二つの縦方向の配線カバー手段５９を中板１２の上面で横方向つなぐ配線カバー手段５９には、筐体側コネクタ５２ｂが設けられている。一方、前記縦方向の配線カバー手段５９の下端から伸びた電気的配線手段５１は、図３に示すように、電源ユニット４及びホッパーユニット５と接続されていると共に、一の電気的配線手段５１の先端部には、筐体側コネクタ５３が設けられている。
【００５２】
前記筐体側コネクタ５２ａは、図９に示すように、後述する基板ユニット取り付け手段７０のコネクタ収納部７５に収納され、基板ユニット側コネクタ５４と接続可能となっている。この接続により、上扉３０及び基板ユニット６と、リールユニット２及び電源ユニット４及びホッパーユニット５及び下扉４０とが電気的に接続する。また、筐体側コネクタ５２ｂは、図５に示すように、リールユニット側コネクタ５６と接続可能となっており、この接続により、リールユニット２と、上扉３０及び基板ユニット６及び電源ユニット４及びホッパーユニット５及び下扉４０とが電気的に接続する。さらに、筐体側コネクタ５３は、図３に示すように、下扉コネクタ５７と接続可能となっており、この接続により、下扉４０と、電源ユニット４及びホッパーユニット５及び基板ユニット６及びリールユニット２とが電気的に接続する。
【００５３】
なお、筐体側の電気的配線手段５１と前記配線カバー手段５９は、リールユニット２及び基板ユニット６を交換する際、筐体ユニット１にそのまま残しておけるので、台交換の際の交換部品をより少なくでき、経費節減に役立つものである。
（交換部品取り付け手段１０）
次に、交換部品取り付け手段１０について詳述する。
【００５４】
交換部品取り付け手段１０は、リールユニット２を筐体ユニット１内に取り付けるためのリールユニット取り付け手段６０と、基板ユニット６を筐体ユニット１内に取り付けるための基板ユニット取り付け手段７０とからなる。そして、交換部品取り付け手段１０は、筐体ユニット１に固定されているものであり、台交換の際には筐体ユニット１にそのまま残しておけるようになっている。
【００５５】
（リールユニット取り付け手段６０）
リールユニット取り付け手段６０は、筐体ユニット１の中板１２上面に固定されたガイドレール６１である。
ガイドレール６１は、図６に示すように、中板１２の上面に、奥行き方向に設けられた一対の長尺部材であり、各ガイドレール６１は、図８に示すように、外側に張り出すフランジ部６３が溝部６２を形成している。そして、この溝部６２には、リールユニット２の底面に設けられた係合レール２２が係合可能となっている。すなわち、リールユニット２を筐体内に収納する際、二つの係合レール２２がそれぞれガイドレール６１の溝部６２に正面側から嵌り込むことができるような位置に、各ガイドレール６１が配置されているものである。また、各ガイドレール６１は、リールユニット２を下方から支持する役割も果たす。そして、係合レール２２をガイドレール６１に沿って押入すれば、リールユニット２が固定位置、すなわち固定するのに適した位置にまで移動し、さらに、リールユニット２が固定位置にまで移動することにより、筐体側コネクタ５２ｂの接続部（接続端子又は端子受け）とリールユニット側コネクタ５６の接続部が接続されるようになっている。このように、ガイドレール６１は、筐体側コネクタ５２ｂとリールユニット側コネクタ５６を適切に接続させるガイドとしての機能も有するものである。ちなみに、この接続が的確になされたかどうかを確認するために、通電により点灯するランプ等の接続確認手段を設けてもよい。接続確認手段は、筐体ユニット１に設けてもリールユニット２に設けてもよい。
【００５６】
なお、ガイドレール６１は、上記のような形状に限られない。例えば、図１３に示すような、上方に開口する溝部を有しているものや、それ以外の形状であってもよい。要は、リールユニット２を適切に固定位置まで案内でき、かつリールユニット２を支持できればよい。また係合レール２２も、図６の形状に限られず、ガイドレール６１に係合可能な形状であればよい。前後の移動をスムーズに行うため、係合レール２２にローラやベアリングなどを設けてもよく、係合レール２２の代わりにローラを取り付けてもよい。
【００５７】
（基板ユニット取り付け手段７０）
基板ユニット取り付け手段７０は、筐体ユニット１に固定された枠体７１である。そして、この枠体７１は、軸７３を介して、裏板１８に設けられたブラケット７２に回動可能に軸支されているものである。
枠体７１は、図１０に示すように、一方に開口部７６を有するコ字形の枠材であり、前記開口部７６の対向側には、筐体側コネクタ５２ａを収納するための箱状のコネクタ収納部７５が形成されていると共に、コネクタ収納部７５の両端から延設された枠部は、相対向する溝部７４を有し、この溝部７４に基板ユニット６をスライドさせて収納可能になっている。また、枠体７１のコネクタ収納部７５側の両側端部には、横方向に突出する軸７３が形成されており、この軸７３をブラケット７２の軸孔に係合させることにより、枠体７１が裏板１８に取り付けられると共に、軸７３を中心に回動可能となる。
【００５８】
前記コネクタ収納部７５の開口部７６側の面には、複数形成された角穴から筐体側コネクタ５２ａの接続部が表出している。そして、基板ユニット６を前記溝部７４に嵌め込んで収納すると、基板側コネクタ５４の接続部と筐体側コネクタ５２ａの接続部とが接続されるようになっている。すなわち、溝部７４は、基板側コネクタ５４と筐体側コネクタ５２ａを適切に接続させるガイドとしての機能も有するものである。なお、この接続が的確になされたかどうかを確認するために、通電により点灯する確認ランプ等を設けてもよい。
【００５９】
また、図９に示すように、前記角穴の対向側にも孔が設けてあり、筐体側コネクタ５２ａに接続された電気的配線手段５１が貫通している。この電気的配線手段５１は、裏板１８に沿って縦方向に設けられた配線カバー手段５９内に伸びているが、配線カバー手段５９の上端部から筐体側コネクタ５２ａまでの電気的配線手段５１の長さは、若干の余裕を持って設けられており、枠体７１が軸７３を中心に回動したときに引っ張られて損傷しないようにしてある。
【００６０】
なお、特に図示しないが、基板ユニット６を筐体内に固定した後には、枠体７１と筐体内部（裏板１８、側板１６など）との間に封印（例えば封印シール、封印ピン）を施し、関係者以外が基板ユニット６に触れられないように、あるいは不正に動かそうとした痕跡を残すようにしておくのが好ましい。
（固定装置８）
続いて、固定装置８について述べる。
【００６１】
固定装置８は、リールユニット２及び基板ユニット６を筐体内に固定するためのものであり、リールユニット２を固定する固定装置８としてはクリップ８０及びフック８１、基板ユニット６を固定する固定装置８としては留め金８２が設けてある。
前記クリップ８０は、図７及び図８に示すように、固定部１８１に回動自在に取り付けられた可動部１８２と、可動部１８２に回動自在に軸止されバネにより伸縮自在に形成された二つのアーム部１８４の先端をつなぐ引っ掛け部１８３とを有している。そして、可動部１８２が下側に回動するような方向で固定部１８１がリールユニット２の枠体２１の左右側板に固定されている。一方、フック８１は、中板１２の、ガイドレール６１よりも外側に立設された鉤状の板部材であり、リールユニット２を固定位置に設置したとき、丁度クリップ８０の下側に位置するようになっている。そして、図８に示すように、クリップ８０の可動部１８２を下方向に回動させて引っ掛け部１８３を下側からフック８１に引っ掛け、再び可動部１８２を上側に回動させて元の位置まで戻すと、リールユニット２が中板１２に固定されるものである。
【００６２】
前記留め金８２は、図１１に示すように、例えば薄板状の鋼材により形成された雄部材８２ａ及び雌部材８２ｂからなり、雄部材８２ａを雌部材８２ｂに押し込むことにより係合可能に形成されている。そして、基板ユニット取り付け手段７０の枠体７１と、筐体ユニット１の裏板１８に、前記雄部材８２ａ及び雌部材８２ｂのいずれか一方を設け、枠体７１と裏板１８とを固定することにより、基板ユニット６を筐体内に固定するものである。枠体７１の留め金８２は、枠体７１を上方向に回動させたときに裏板１８と対向する面の、軸７３から離れた部分（開口部７６側）に設けるのが好ましい。枠体７１が自重で手前側に倒れてこないようにするためである。
【００６３】
なお、固定装置８としては、上記した形態に限られず、リールユニット２及び基板ユニット６を筐体内部に着脱容易に固定できることができるものであれば、如何なる形態であってもかまわない。
（リールユニット２及び基板ユニット６の交換）
以上のように構成された分離型スロットマシンＳににおいて、いわゆる台交換を行う場合の手順を説明する。
【００６４】
まず、下扉４０を開錠し、上扉３０を開けて上扉コネクタ５８と基板側コネクタ５５との接続を外し、上扉３０を筐体ユニット１から取り外す。上扉３０は、スロットマシンの正面デザインの変更に伴い交換する場合が多く、また交換しない場合であっても、上扉３０を取り外しておいた方が作業が楽である。なおこのとき、基板ユニット６は、図５に示すように、基板ケースの正面側が正面に向くように、基板ユニット取り付け手段７０に取り付けられ、基板ユニット取り付け手段７０は留め金８２により裏板１８に固定されている。また、リールユニット２は、クリップ８０及びフック８１により中板１２上に固定されている。
【００６５】
次に、リールユニット２を筐体内から取り出す。すなわち、枠体２１側面に取り付けられたクリップ８０と、中板１２に固定されたフック８１との係合を外し、リールユニット２を手前側に引き出す。このとき、筐体側コネクタ５２ｂとリールユニット側コネクタ５６の接続が外れ、リールユニット２の電気的接続が切断される。そしてガイドレール６１と係合レール２２との係合が外れるまで引き出せば、リールユニット２を筐体ユニット１から取り出すことができる。ここで、リールユニット２は開口上部１３からほぼ取り出されるまでガイドレール６１に下方から支持されているので、リールユニット２を不自然な体勢で持ち上げなくともよい。
【００６６】
続いて、基板ユニット６を筐体内から取り出す。すなわち、基板ユニット取り付け手段７０の枠体７１を手前側に引っ張って倒し、枠体７１と裏板１８とを固定している留め金８２を外して、開口部７６が正面側に位置するように、すなわち基板ユニット６がほぼ水平となる位置まで枠体７１を回動させる。それから基板ユニット６を手前側に引き出す。このとき、筐体側コネクタ５２ａと基板側コネクタ５４の接続が外れ、基板ユニット６の電気的接続が切断される。そして基板ユニット６を溝部７４から引き抜けば、基板ユニット６を筐体ユニット１から取り出すことができる。
【００６７】
次に、新しい基板ユニット６を基板ユニット取り付け手段７０に取り付ける。図１０に示すように、基板ユニット取り付け手段７０の枠体７１の開口部７６を正面側に向け、基板ユニット６は基板側コネクタ５４が奥側に、基板ケースの正面側が下側になるようにして、正面側から溝部７４に嵌め込み押入する。基板ユニット６が最奥まで押入されると、基板側コネクタ５４の接続部分が筐体側コネクタ５２ａの接続部分と接続し、基板ユニット６とスロットマシンＳの他の構成部品とが電気的に接続される。このように、基板ユニット６を枠体７１に収納するだけで電気的接続が完了するので、面倒な電気配線なども行う必要がない。また、溝部７４が基板ユニット６を的確に誘導するので、基板側コネクタ５４と筐体側コネクタ５２ａとの位置ずれによる端子の破損等のおそれも少ない。それから、枠体７１を上方向に回動させ、留め金８２で裏板１８に固定し、所定の封印を施す。このように枠体７１を正面側に回動させて基板ユニット６を収納するように形成すると、取り付け作業を筐体ユニット１の開口上部１３の手前側で行うことができ、筐体の奥に手を入れての作業よりも効率よく取り付け作業を行うことができる。また、基板ユニット６を筐体奥側に固定させることにより、不正行為をされ難くすることができ、基板ユニット６の正面側が正面に向くように取り付けられるので、点検の際にも好適である。  その後、リールユニット２を筐体内に取り付ける。係合レール２２をガイドレール６１に係合させて、奥方向に押し込む。固定位置まで押し込むと、筐体側コネクタ５２ｂとリールユニット側コネクタ５６が接続され、リールユニット２が他の構成部品と電気的に接続される。リールユニット２はガイドレール６１により固定位置まで的確に誘導されるので、筐体側コネクタ５２ｂとリールユニット側コネクタ５６とがずれないように接続させるための位置決めなどは行わなくともよく、接続部のズレによる端子の破損等のおそれも少ない。また、リールユニット２を固定位置に押し込むだけで電気的接続が完了するので、配線作業も行う必要がない。リールユニット２が固定位置に設置されたら、クリップ８０とフック８１とを係合させ、リールユニット２を中板１２に固定する。
【００６８】
最後に、上扉４０を取り付けて下扉４０を閉め、施錠する。
以上のように、上扉３０、リールユニット２、基板ユニット６を別々に着脱可能としたことにより、交換に係る部品点数は従来よりも増えたものの、一つ一つの交換部品が軽量化するため、交換作業にかかる労力はかなり軽減されることになる。従って、例えば女性など体力の劣る作業員であっても楽に交換作業ができ、普通の作業員であっても重い物を不自然な体勢で持ち上げなくともよいので、腰痛などを起こす心配もない。
【００６９】
（交換部品取り付け手段１０の他の例）
ところで、交換部品取り付け手段１０は、上述した実施の形態において述べたものの他に、以下のように形成することができる。
例えば、基板ユニット取り付け手段７０は、図１２に示すように、天板１７の裏面奥部に形成したブラケット７２に取り付けてもよい。この場合は、枠体７１を下方に回動させて、配線カバー手段５９に設けた留め金８２により固定する。このように形成すると、筐体側コネクタ５２ａと接続されている電気的配線手段５１が基板ユニット６の裏側に隠れるので、いわゆるハーネスゴトとよばれる不正行為を防止できるという利点がある。
【００７０】
また、図１２に示すように、リールユニット側コネクタ５６をリールユニット２の背面底部に設けた電気的配線手段５１の先端に設けるとともに枠体２１の底面左右両端部に脚部２３を設け、枠体２１の底面と中板１２との間に配線収納部２４を形成してもよい。これは、リールユニット２の電気的接続はリールユニット側コネクタ５６を筐体側コネクタ５２ｂに手で差し込むことにより行うようにし、電気的配線手段５１を、リールユニット２を開口上部１３から取り出してからリールユニット側コネクタ５６と筐体側コネクタ５２ｂとの接続を解除できるのに必要十分な長さに形成し、かつ、リールユニット２の収納時及び固定時には、電気的配線手段５１が邪魔にならないよう配線収納部２４に収納されるようにしたものである。この場合は、リールユニット２を取り出してからコネクタの接続解除を行い、コネクタ接続をしてからリールユニット２を収納する。リールユニット２を収納する際には、前記脚部２３をガイドレール６１に係合させて押し込めばよい。なお、特に図示しないが、ガイドレール６１に固定装置８が係合可能な位置にリールユニット２を停止させるための奥行き方向のストッパーを設けると好ましい。
【００７１】
さらに、交換部品取り付け手段１０として、図１３に示すような固定枠９０を、筐体ユニット１内部に固定してもよい。固定枠９０は、電気的接続手段５０、リールユニット取り付け手段６０、基板ユニット取り付け手段７０、固定装置８を備え、筐体ユニット１の開口上部１３内に固定されている枠体である。この固定枠９０を用いる場合には、筐体ユニット１には中板１２を設けなくともよい。図示した例では、基板ユニット取り付け手段７０として基板ユニット６を正面側から差し込み可能な取り付け枠７９を設けてあるが、前記した実施の形態において述べたような回動可能な枠体７１であってもよく、またそれ以外の形態であってもよい。また、特に図示しないが、その他の交換部品を取り付け可能な取り付け手段を備えていてもよい。例えば液晶表示器を取り付け可能な取り付け枠や、演出用の回転リールを取り付け可能な取り付け装置があってもよい。そして、遊技内容に応じてこれらを使用するようにすれば、種々の遊技機パターンに対応させることができる。
【００７２】
このように、交換部品取り付け手段１０を筐体ユニット１に直接固定するのでなく、固定枠９０に設けておくことにより、筐体ユニット１を処分する際には固定枠９０を取り外すのみでよい。さらに固定枠９０はハーネスやコネクタなどの消耗部品を取り替えれば再利用可能であり、効率的にリサイクルができるのである。なお、固定枠９０を開口下部１４にも設け、ホッパーユニット５等をこの固定枠９０に取り付けてもよい。
【００７３】
（第二の実施の形態）
（図面の説明）
図１４乃至図１６は、本発明の第二の実施の形態を示すものである。
図１４はリールユニットの斜視図、図１５はスロットマシンの開口上部の縦断面図、図１６は図１５の部分拡大図である。
【００７４】
第二の実施の形態は、リールユニット２及び基板ユニット６を一体的に取り扱い可能としたものである。すなわち、基板ユニット取り付け手段７０を、リールユニット２に取り付けたものである。なお、本実施の形態において、第一の実施の形態と共通する部分は説明を省略し、本実施の形態の特徴点のみを述べる。
本実施の形態におけるリールユニット２は、図１４に示すように、枠体２１の上面に、基板ユニット取り付け手段７０を設けてある。すなわち、枠体２１の上面奥側両端部に、相対向する凸部を有するブラケット状の取り付け部７８を形成してあり、この取り付け部７８の凸部を嵌入可能な孔を有する枠体７７を、ふたつの取り付け部７８の間に回動可能に挟持させたものである。
【００７５】
枠体７７は、基板ユニット６を収納可能であるとともに、基板側コネクタ５４が接続可能なコネクタ部７７ｂを有している。このコネクタ部７７ｂは、図１５に示すように、リールユニット２の駆動部及びールユニット側コネクタ５６に接続しており、基板ユニット６を収納して基板側コネクタ５４と接続することにより基板ユニット６とリールユニット２とが通電可能となり、リールユニット側コネクタ５６と筐体側コネクタ５２とを接続することにより、基板ユニット６及びリールユニット２と、他の構成部品とが電気的に接続するようになっている。
【００７６】
また、枠体７７の反軸支部側端部には突片７７ａが形成されている。この突片７７ａは、リールユニット２を開口上部１３内に設置固定し枠体７７を上側に回動させると、筐体ユニット１の天板１７の裏面横方向にわたって設けられた垂下片１７０に当接するようになっている（図１６参照）。そして、この垂下片１７０と前記突片７７ａとは、図１６に示すような固定ピン８３により固定される。ここで、固定ピン８３は、いったん先端部を突片７７ａ及び垂下片１７０に形成された孔に貫通させてしまうと引き抜けないようになっていて、表面に出ている頭部を切り取らない限り突片７７ａを垂下片１７０から引き離せないようになっている。基板ユニット６を取り出すためには、固定ピン８３を切り取って枠体７７を手前側に倒さなければならない。すなわち、固定ピン８３は、枠体７１内に収納された基板ユニット６を、開口上部１３の奥側に縦方向に固定するとともに、基板ユニット６の封印としての役割も果たす物である。
【００７７】
このように形成されたリールユニット２及び基板ユニット６を交換する場合には、まず基板ユニット取り付け手段７０と筐体ユニット１との固定（封印）を解除して、枠体７７を手前側に回動させてリールユニット２の上面に倒した状態とするる。このとき、基板ユニット６を枠体７７から手前側に抜き出し、基板ユニット６のみを筐体から取り出すこともできるし、基板ユニット６を枠体７７に収納したままにしておくこともできる。それから、リールユニット２と筐体ユニット１の固定装置８を解除し、リールユニット２を筐体内から取り出す。新たなリールユニット２及び基板ユニット６を取り付ける場合には、枠体７７を倒した状態にしてリールユニット２を収納する。このとき、枠体７７に基板ユニット６を収納したままリールユニット２を筐体内に設置固定してもよいし、先にリールユニット２を設置固定した後で、基板ユニット６を枠体７７に収納してもよい。それから枠体７７を上側に回動させて、突片７７ａが天板１７の垂下片１７０に当接したら、所定のピン孔に固定ピン８３を押し込んで、枠体７７を筐体内部に固定する。
【００７８】
本実施の形態によれば、リールユニット２と基板ユニット６とを同時に交換できるので、作業手順を簡略化することができ、またリールユニット２と基板ユニット６とを別々に交換することもできるため、作業者にあわせて交換形態を変更するという柔軟な対応が可能である。さらに、リールユニット側接続部６７と筐体側接続部５２との接続のみで、筐体ユニット側の構成部品とリールユニット２及び基板ユニット６との電気的接続が可能なため、筐体側接続部５２を複数設ける必要がない。
【００７９】
なお、特に図示しないが、基板ユニット取り付け手段７０を、リールユニット２の上面に固定した枠体（動かない）としてもよい。また、基板ユニット取り付け手段７０は、リールユニット２の上面以外の場所、例えば側面に設けてあってもよい。
ところで、以上述べた第一及び第二の実施の形態は、筐体ユニット１に中板１２を設け、その上面にリールユニット２を載置するものであったが、本発明は、中板１２の無いスロットマシンであっても応用できる。例えば、特に図示しないが、筐体ユニット１の裏板１８や天板１７にリールユニット取り付け手段６０を設け、リールユニット２を引っ掛け又は吊り下げるようにして設置固定するように形成することができる。この場合のリールユニット取り付け手段６０としては、リールユニット２の背面又は裏板１８に設けた孔と、裏板１８又はリールユニット２の背面に設けた前記孔と係合可能なフック、リールユニット２の上面又は天板１７に設けた奥行き方向のレール部材と、天板１７又はリールユニット２の上面に設けた前記レールに係合可能なレール又は鉤型部材もしくはローラー、などとすることができる。
【００８０】
【発明の効果】
本発明は、以上のように構成されているので、以下に記載されるような効果を奏する。
（請求項１又は２）
請求項１又は２記載の発明によれば、交換部品の重量を減らして交換にかかる労力を軽減するとともに、容易かつ確実に交換部品を取り付け可能な分離型遊技機を提供することができる。
【００８１】
（請求項３）
請求項３記載の発明によれば、上記した請求項１又は２記載の発明の効果に加え、次のような効果を奏する。
すなわち、請求項３記載の発明によれば、交換部品を一体的にも取り扱い可能な分離型遊技機を提供することができる。
【図面の簡単な説明】
【図１】本発明の第一の実施の形態であって、分離型スロットマシンの分解斜視図である。
【図２】本発明の第一の実施の形態であって、前扉を外した分離型スロットマシンの斜視図である。
【図３】本発明の第一の実施の形態であって、分離型スロットマシンの縦断面図である。
【図４】本発明の第一の実施の形態であって、筐体係合部と上扉係合部を示す概略斜視図である。
【図５】本発明の第一の実施の形態であって、分離型スロットマシンの開口上部の縦断面図である。
【図６】本発明の第一の実施の形態であって、リールユニットと筐体ユニットの開口上部を示す斜視図である。
【図７】本発明の第一の実施の形態であって、クリップの正面図である。
【図８】本発明の第一の実施の形態であって、リールユニットの固定部を示す部分正面図である。
【図９】本発明の第一の実施の形態であって、基板ユニット取り付け手段を示す側断面図である。
【図１０】本発明の第一の実施の形態であって、基板ユニット取り付け手段を示す分解斜視図である。
【図１１】本発明の第一の実施の形態であって、留め金を示す側面図である。
【図１２】本発明の第一の実施の形態であって、交換部品取り付け手段の他の例を示す分離型スロットマシンの開口上部の縦断面図である。
【図１３】本発明の第一の実施の形態であって、交換部品取り付け手段の他の例を示す斜視図である。
【図１４】本発明の第二の実施の形態であって、リールユニットの斜視図である。
【図１５】本発明の第二の実施の形態であって、分離型スロットマシンの開口上部の縦断面図である。
【図１６】本発明の第二の実施の形態であって、図１５の部分拡大図である。
【図１７】従来の分離型スロットマシンを示す分解斜視図である。
【符号の説明】
Ｓ  分離型スロットマシン        Ｓ’  分離型スロットマシン
１  筐体ユニット                ２  リールユニット
３  前扉                        ４  電源ユニット
５  ホッパーユニット            ６  基板ユニット
７  ロック機構                  ８  固定装置
１０  交換部品取り付け手段
１１  開口部                      １２  中板
１３  開口上部                    １４  開口下部
１５  底板                        １６  側板
１７  天板                        １８  裏板
１９  筐体係合部
２０  回転リール                  ２１  枠体
２２  係合レール                  ２３  脚部
２４  配線収納部
３０  上扉                        ３１  表示窓
３２  表示装置                    ３３  飾り部
３５  スピーカ                    ３６  上扉係合部
４０  下扉                        ４１  操作部
４２  メダル投入口                ４３  メダル受け
４４  鍵穴                        ４５  メダルセレクター
４６  下扉係合部                  ４７  前パネル
５０  電気的接続手段              ５１  電気的配線手段
５２  筐体側コネクタ              ５３  筐体側コネクタ
５４  基板側コネクタ              ５５  基板側コネクタ
５６  リールユニット側コネクタ    ５７  上扉コネクタ
５８  下扉コネクタ                ５９  配線カバー手段
６０  リールユニット取り付け手段  ６１  ガイドレール
６２  溝部                        ６３  フランジ部
７０  基板ユニット取り付け手段    ７１  枠体
７２  ブラケット                  ７３  軸
７４  溝部                        ７５  コネクタ収納部
７６  開口部                      ７７  枠体
７８  取り付け部                  ７９  取り付け枠
８０  クリップ                    ８１  フック
８２  留め金                      ８３  固定ピン
９０  固定枠
１００  筐体                        １１１  開口部
１１２  中板                        １１３  開口上部
１１４  開口下部                    １１５  底板
１１６  側板                        １１７  天板
１１８  裏板                        １２０  リールユニット
１３０  上扉                        １４０  下扉
１５０  基板ユニット                １６０  筐体側コネクタ
１６１  交換ユニット側コネクタ      ２００  交換ユニット
【図１】
2004275469.tif 000003
【図２】
2004275469.tif 000004
【図３】
2004275469.tif 000005
【図４】
2004275469.tif 000006
【図５】
2004275469.tif 000007
【図６】
2004275469.tif 000008
【図７】
2004275469.tif 000009
【図８】
2004275469.tif 000010
【図９】
2004275469.tif 000011
【図１０】
2004275469.tif 000012
【図１１】
2004275469.tif 000013
【図１２】
2004275469.tif 000014
【図１３】
2004275469.tif 000015
【図１４】
2004275469.tif 000016
【図１５】
2004275469.tif 000017
【図１６】
2004275469.tif 000018
【図１７】
2004275469.tif 000019